(57)【要約】【課題】端末の周辺のセルの状況が変化した場合に、端末の送信電力の調整を短時間で行う。【解決手段】制御部と、記憶部と、端末との間で無線通信をする第１送受信部と、前記端末との間で無線通信をする第２送受信部とを備える無線局であって、前記制御部は、前記第１送受信部と前記端末との間の第１パスロスを推定し、前記第２送受信部と前記端末との間の第２パスロスを推定し、前記第１パスロス及び前記第２パスロスを記憶部に格納し、前記制御部は、第２送受信部の送信が停止した場合、前記記憶部に格納される前記第１パスロスと前記第２パスロスとの差に基づいて、前記端末における上り送信電力の補正値を算出し、前記第１送受信部は、前記補正値を前記端末に送信する無線局とする。【選択図】図８
2015073209.tif 000002
【特許請求の範囲】
【請求項１】
制御部と、記憶部と、端末との間で無線通信をする第１送受信部と、前記端末との間で無線通信をする第２送受信部とを備える無線局であって、
前記制御部は、前記第１送受信部と前記端末との間の第１パスロスを推定し、前記第２送受信部と前記端末との間の第２パスロスを推定し、前記第１パスロス及び前記第２パスロスを記憶部に格納し、
前記制御部は、第２送受信部の送信が停止した場合、前記記憶部に格納される前記第１パスロスと前記第２パスロスとの差に基づいて、前記端末における上り送信電力の補正値を算出し、
前記第１送受信部は、前記補正値を前記端末に送信する
無線局。
【請求項２】
端末との間で無線通信をする第１送受信部と、前記端末との間で無線通信をする第２送受信部とを備える無線局において、
前記第１送受信部と前記端末との間の第１パスロスを推定し、前記第２送受信部と前記端末との間の第２パスロスを推定し、
前記第２送受信部の送信が停止した場合、前記第１パスロスと前記第２パスロスとの差に基づいて、前記端末における上り送信電力の補正値を算出し、
前記補正値を前記端末に送信する、
送信電力制御方法。
【発明の詳細な説明】
【技術分野】
【０００１】
本発明は、無線局、及び、送信電力制御方法に関する。
【背景技術】
【０００２】
移動体通信システムでは、基地局（ｅＮＢ：evolved NodeB）が、自基地局の接続可能
エリアであるセルを形成し、基地局と移動局（ＵＥ：User Equipment）との間で無線インタフェースを介して相互通信を行う。
【０００３】
図１は、移動体通信システムの例を示す図である。図１の例では、２つの基地局がそれぞれセルを形成している。また、各基地局は、各セル内の端末（移動局）と相互通信を行うことができる。
【０００４】
ＬＴＥ−Ａ（Long Term Evolution-Advanced）におけるキャリアアグリゲーション（ＣＡ：Carrier Aggregation）では、複数の周波数帯域（ＣＣ：Component Carrier）が束ねられて複数の周波数帯域が同時に使用され、送受信が行われる。これにより、収容ユーザー数の増加、最大スループットの増加を行うことができる。ＣＣは、ＰＣｅｌｌ（Primary Cell）とＳＣｅｌｌ（Secondary Cell）とに分類される。
【０００５】
図２は、ＬＴＥ−Ａにおけるキャリアアグリゲーションの例を示す図である。図２の例では、周波数帯域＃０、周波数帯域＃１、周波数帯域＃２が示されている。ここでは、周波数帯域＃０がＰＣｅｌｌ、周波数帯域＃１がＳＣｅｌｌであるとする。
【０００６】
図３は、下りセルの構成例を示す図である。図３では、第１ＲＲＨ（Remote Radio Head）及び第１ＲＲＨのセル、第２ＲＲＨ及び第２ＲＲＨのセルが示される。ここでは、第
２ＲＲＨのセルは、第１ＲＲＨのセルに包含されている。第１ＲＲＨ及び第２ＲＲＨは、同じＣ−ＢＢＵ（Centalized-Base Band Unit）に接続されるとする。Ｃ−ＢＢＵは、ベ
ースバンド処理を集中制御する無線アクセスネットワーク装置である。また、第２ＲＲＨのセルの範囲内に、端末が存在している。例えば、下りセルでは、第１ＲＲＨはＣＣ＃０を使用し、第２ＲＲＨはＣＣ＃１を使用する。端末は、第１ＲＲＨからの信号及び第２ＲＲＨからの信号を受信する。ここでは、端末と第１ＲＲＨとの距離は、端末と第２ＲＲＨとの距離よりも長い。また、例えば、第１ＲＲＨはマクロセルであり、第２ＲＲＨはスモールセル（ピコセル）である。
【０００７】
図４は、上りセルの構成例を示す図である。図４では、第１ＲＲＨ、第２ＲＲＨ、及び、端末の位置は、図３と同じである。第１ＲＲＨ及び第２ＲＲＨは、同じＣ−ＢＢＵに接続されるとする。例えば、上りセルでは、端末はＣＣ＃２を使用する。端末は、第１ＲＲＨ及び第２ＲＲＨに対して、信号を送信する。Ｃ−ＢＢＵは、第１ＲＲＨ及び第２ＲＲＨが受信した信号を選択、または、合成することにより、端末からの信号を得る。
【０００８】
ＤＬ／ＵＬ（Downlink/Uplink）で非対称なＣＣ割当があり、かつ、Ｃ−ＢＢＵが第１
ＲＲＨと第２ＲＲＨとの両方の受信信号を選択または合成して受信する場合、端末送信電力をスモールセルターゲットの値に調整することで、端末送信電力の低減が期待できる。即ち、図４のように、端末が、端末送信電力を、最も近いＲＲＨである第２ＲＲＨのセルをターゲットとする送信電力に調整することで、端末の消費電力の低減が期待できる。また、Ｏｐｅｎ  Ｌｏｏｐ  ＴＰＣ（Transmit Power Control）では、端末は、ＤＬパスロスリファレンス（下りパイロット信号）より算出したＤＬパスロス値に基づき、ＵＬ送信電力を決定する。
【先行技術文献】
【特許文献】
【０００９】
【特許文献１】特開２０１１−１０１３１３号公報
【特許文献２】特開２０１３−４２３１０号公報
【特許文献３】国際公開２０１１／０１８９０６号
【特許文献４】特開２０１１−１８２００９号公報
【非特許文献】
【００１０】
【非特許文献１】TS36.300 V10.6.0 7.5 Carrier Aggregation
【非特許文献２】TS36.213 V10.4.0 5.1 Uplink power control, 5.1.1 Physical uplink shared channel, 5.1.2 Physical uplink control channel, 5.1.3 Sounding Reference Symbol
【発明の概要】
【発明が解決しようとする課題】
【００１１】
図５は、第２ＲＲＨが図３の状態からＤＬ送信停止状態に遷移した場合の例を示す図である。このとき、第２ＲＲＨからＤＬパスロスリファレンスが送信されないため、Ｏｐｅｎ  Ｌｏｏｐ  ＴＰＣによりＵＬ送信電力を上記のように第２ＲＲＨをターゲットとする送信電力に切り替えることが困難である。
【００１２】
一方、Ｃｌｏｓｅｄ  Ｌｏｏｐ  ＴＰＣによれば、端末の送信電力を、ＤＬ送信停止状態の第２ＲＲＨをターゲットとした送信電力に切り替えることができる。第２ＲＲＨをターゲットとした送信電力とすることで、端末の消費電力を抑制することができる。このとき、端末は、第１ＲＲＨをターゲットとした送信電力で送信する。その後、第２ＲＲＨが測定したＳＩＮＲ（Signal to Interference plus Noise Ratio）に基づき、端末のＵＬ
送信電力は、Ｃｌｏｓｅｄ  Ｌｏｏｐ  ＴＰＣにより第２ＲＲＨをターゲットとした送信電力に調整される。しかし、Ｃｌｏｓｅｄ  Ｌｏｏｐ  ＴＰＣによって一度に調整できる送信電力の大きさは、所望の変更幅と比べて小さい。このため、端末のＵＬ送信電力の調整には、時間を要する。即ち、端末の消費電力が大きくなる。
【００１３】
図６は、Ｃｌｏｓｅｄ  Ｌｏｏｐ  ＴＰＣを使用した端末の送信電力の調整の例を示す図である。図６のグラフは、端末の送信電力の時間変化を示している。図６のグラフの横軸は時間であり、縦軸は端末の送信電力である。Ｃｌｏｓｅｄ  Ｌｏｏｐ  ＴＰＣにより端末の送信電力を変更する場合、端末は、ＴＰＣコマンドにより送信電力の上げ又は下げを指示される。第１ＲＲＨをターゲットとした送信電力から第２ＲＲＨをターゲットとした送信電力に調整する場合、１回のＴＰＣコマンドによる調整幅よりも大きな値を変更することになるため、時間を要する。
【００１４】
本件開示の技術は、端末の周辺のセルの状況が変化した場合に、端末の送信電力の調整を短時間で行うことができる無線装置を提供することを課題とする。
【課題を解決するための手段】
【００１５】
開示の技術は、上記課題を解決するために、以下の手段を採用する。
【００１６】
即ち、開示の態様は、
制御部と、記憶部と、端末との間で無線通信をする第１送受信部と、前記端末との間で無線通信をする第２送受信部とを備える無線局であって、
前記制御部は、前記第１送受信部と前記端末との間の第１パスロスを推定し、前記第２送受信部と前記端末との間の第２パスロスを推定し、前記第１パスロス及び前記第２パス
ロスを記憶部に格納し、
前記制御部は、第２送受信部の送信が停止した場合、前記記憶部に格納される前記第１パスロスと前記第２パスロスとの差に基づいて、前記端末における上り送信電力の補正値を算出し、
前記第１送受信部は、前記補正値を前記端末に送信する
無線局とする。
【００１７】
開示の態様は、プログラムが情報処理装置によって実行されることによって実現されてもよい。即ち、開示の構成は、上記した態様における各手段が実行する処理を、情報処理装置に対して実行させるためのプログラム、或いは当該プログラムを記録したコンピュータ読み取り可能な記録媒体として特定することができる。また、開示の構成は、上記した各手段が実行する処理を情報処理装置が実行する方法をもって特定されてもよい。開示の構成は、上記した各手段が実行する処理を行う情報処理装置を含むシステムとして特定されてもよい。
【発明の効果】
【００１８】
開示の技術によれば、端末の周辺のセルの状況が変化した場合に、端末の送信電力の調整を短時間で行うことができる無線装置を提供することができる。
【図面の簡単な説明】
【００１９】
【図１】図１は、移動体通信システムの例を示す図である。
【図２】図２は、ＬＴＥ−Ａにおけるキャリアアグリゲーションの例を示す図である。
【図３】図３は、下りセルの構成例を示す図である。
【図４】図４は、上りセルの構成例を示す図である。
【図５】図５は、第２ＲＲＨが図３の状態からＤＬ送信停止状態に遷移した場合の例を示す図である。
【図６】図６は、Ｃｌｏｓｅｄ  Ｌｏｏｐ  ＴＰＣを使用した端末の送信電力の調整の例を示す図である。
【図７】図７は、本実施形態の移動体通信システムの構成例を示す図である。
【図８】図８は、Ｃ−ＢＢＵ、第１ＲＲＨ、第２ＲＲＨの構成例を示す図である。
【図９】図９は、端末のハードウェア構成例を示す図である。
【図１０】図１０は、本実施形態の移動体通信システムにおける動作シーケンスの例を示す図である。
【図１１】図１１は、本実施形態のＣ−ＢＢＵの動作フローの例を示す図である。
【発明を実施するための形態】
【００２０】
以下、図面を参照して実施形態について説明する。実施形態の構成は例示であり、開示の構成は、開示の実施形態の具体的構成に限定されない。開示の構成の実施にあたって、実施形態に応じた具体的構成が適宜採用されてもよい。
【００２１】
〔実施形態〕
（構成例）
図７は、本実施形態の移動体通信システムの構成例を示す図である。図７の移動体通信システム１０は、Ｃ−ＢＢＵ１００、第１ＲＲＨ２００、第２ＲＲＨ３００、端末４００を含む。Ｃ−ＢＢＵ１００は、第１ＲＲＨ２００、第２ＲＲＨ３００に接続される。端末４００は、第１ＲＲＨ２００のセル内、及び、第２ＲＲＨ３００のセル内に存在する。移動体通信システム１０は、他のＲＲＨを含んでもよい。第１ＲＲＨ２００のセル、及び、第２ＲＲＨ３００のセルは、少なくとも一部が重複する。移動体通信システム１０は、複数の端末を含んでもよい。Ｃ−ＢＢＵ１００と第１ＲＲＨ２００とは、例えば、光伝送路
によって互いに接続される。Ｃ−ＢＢＵ１００と第２ＲＲＨ３００とは、例えば、光伝送路によって互いに接続される。ここでは、例えば、第１ＲＲＨ２００はマクロセルであり、第２ＲＲＨ３００はスモールセル（ピコセル）である。Ｃ−ＢＢＵ１００、第１ＲＲＨ２００、第２ＲＲＨ３００は、一体として、無線局（無線基地局）として動作し得る。また、Ｃ−ＢＢＵ１００、第１ＲＲＨ２００は、一体として、無線局（無線基地局）として動作し得る。
【００２２】
図８は、Ｃ−ＢＢＵ、第１ＲＲＨ、第２ＲＲＨの構成例を示す図である。Ｃ−ＢＢＵ１００は、バス１０２、上位処理用プロセッサ１１０、ベースバンド処理用プロセッサ１２０、ベースバンド処理回路１３０、ＮＷ（Network）側Ｉ／Ｆ（Interface）１４０を含む。上位処理用プロセッサ１１０は、上りターゲット電力制御部１１２を含む。ベースバンド処理用プロセッサ１２０は、スケジューラ部１２２を含む。ベースバンド処理回路１３０は、下り送信部１３２、上り受信部１３４を含む。第１ＲＲＨ２００は、無線処理回路２１０、アンテナ２２０を含む。第２ＲＲＨ３００は、無線処理回路３１０、アンテナ３２０を含む。
【００２３】
Ｃ−ＢＢＵ１００は、直接もしくはネットワークを介して、上位装置と接続される。Ｃ−ＢＢＵ１００は、第１ＲＲＨ２００、第２ＲＲＨ３００を介して、端末４００と接続される。
【００２４】
Ｃ−ＢＢＵ１００の上位処理用プロセッサ１１０、ベースバンド処理用プロセッサ１２０、ベースバンド処理回路１３０、ＮＷ側Ｉ／Ｆ１４０、記憶部１５０は、バスを介して互いに接続される。
【００２５】
上位処理用プロセッサ１１０は、レイヤ２処理、無線リソース管理、基地局間信号送受信処理、ネットワーク側装置との信号送受信等の上位処理を行う。
【００２６】
上りターゲット電力制御部１１２は、下りパイロット信号受信電力に基づいて、第１ＲＲＨ２００と端末４００との間のパスロス、及び、第２ＲＲＨ３００と端末４００との間のパスロスを推定する。上りターゲット電力制御部１１２は、推定したパスロスを記憶部１５０に格納する。上りターゲット電力制御部１１２は、第２ＲＲＨ３００に対して送信停止指示を行った場合、上り送信電力の補正値（ＰＯ＿ＵＥ＿ＰＵＳＣＨ，ｃ及びＰＯ＿ＵＥ＿ＰＵＣＣＨ）を算出する。
【００２７】
ベースバンド処理用プロセッサ１２０は、レイヤ１及びレイヤ２の制御管理を行う。
【００２８】
スケジューラ部１２２は、周波数及び時間の無線リソースを端末等に割り当てる。スケジューラ部１２２は、第１ＲＲＨ２００と端末４００との間の同期、第２ＲＲＨ３００と端末４００との間の同期等を制御する。
【００２９】
上位処理用プロセッサ１１０、ベースバンド処理用プロセッサ１２０は、例えば、ＣＰＵ（Central Processing Unit）やＤＳＰ（Digital Signal Processor）によって実現さ
れる。上位処理用プロセッサ１１０、ベースバンド処理用プロセッサ１２０は、ＡＳＩＣ（Application Specific Integrated Circuit）、ＦＰＧＡ（Field Programmable Gate Array）等によって実現されてもよい。上位処理用プロセッサ１１０、及び、ベースバンド処理用プロセッサ１２０は、一体化してもよい。
【００３０】
ベースバンド処理回路１３０は、レイヤ１の処理を行う。例えば、ＬＳＩ（Large Scale Integration）等によって実現される。下り送信部１３２は、変調、符号化等のベース
バンド処理を行った信号を第１ＲＲＨ２００又は第２ＲＲＨ３００に送信する。
【００３１】
上り送信部１３４は、端末４００からの信号を第１ＲＲＨ２００や第２ＲＲＨ３００を介して受信し、復号、復調等のベースバンド処理を行う。上り送信部１３４は、第１ＲＲＨ２００及び第２ＲＲＨ３００が受信した信号を選択、または、合成することにより、端末４００からの信号を得る。
【００３２】
上位処理用プロセッサ１１０、ベースバンド処理用プロセッサ１２０、ベースバンド処理回路１３０は、一体化してもよい。上位処理用プロセッサ１１０、ベースバンド処理用プロセッサ１２０、ベースバンド処理回路１３０は、制御部の一例である。
【００３３】
ＮＷ側Ｉ／Ｆ１４０は、上位装置とＣ−ＢＢＵ１００との通信を中継する。
【００３４】
記憶部１５０は、上位処理用プロセッサ１１０、ベースバンド処理用プロセッサ１２０などで使用されるデータ等を格納する。記憶部１５０は、例えば、ＲＡＭ（Random Access Memory）やＲＯＭ（Read Only Memory）である。また、記憶部１５０は、例えば、ＥＰＲＯＭ（Erasable Programmable ROM）、ハードディスクドライブ（ＨＤＤ、Hard Disk Drive）である。記憶部１５０は、リムーバブルメディア、即ち可搬記録媒体であってもよい。リムーバブルメディアは、例えば、ＵＳＢ（Universal Serial Bus）メモリ、あるいは、ＣＤ（Compact Disc）やＤＶＤ（Digital Versatile Disc）のようなディスク記録媒体である。
【００３５】
第１ＲＲＨ２００の無線処理回路２１０は、アンテナ２２０から送信する信号又はアンテナ２２０で受信した信号に対して、ベースバンド周波数と無線周波数との間の相互変換を行う。無線処理回路２１０は、例えば、ＬＳＩ等によって実現される。アンテナ２２０は、無線処理回路２１０に接続され、端末４００等との無線信号の送受信を行う。第１ＲＲＨ２００は、第１送受信部の一例である。
【００３６】
第２ＲＲＨ３００の無線処理回路３１０は、アンテナ３２０から送信する信号又はアンテナ３２０で受信した信号に対して、ベースバンド周波数と無線周波数との間の相互変換を行う。無線処理回路３１０は、Ｃ−ＢＢＵ１００からの指示により下り送信を停止することができる。無線処理回路３１０は、下り送信を停止しても、端末４００等からの信号を受信しうる。無線処理回路３１０は、例えば、ＬＳＩ等によって実現される。アンテナ３２０は、無線処理回路３１０に接続され、端末４００等との無線信号の送受信を行う。第２ＲＲＨ３００は、第２送受信部の一例である。
【００３７】
端末４００は、第１ＲＲＨ２００または第２ＲＲＨ３００から下りパイロット信号を受信すると、下りパイロット信号の受信電力を測定する。端末４００は、受信した下りパイロット信号の受信電力を第１ＲＲＨ２００に送信する。受信電力は、受信品質の一例である。
【００３８】
端末４００は、Ｃ−ＢＢＵ１００からの情報等にもとづいて、上り送信電力を算出する。上り送信電力は、次のように算出される。
【００３９】
【数１】
2015073209.tif 000003
【００４０】
【数２】
2015073209.tif 000004
【００４１】
ここで、ＰＰＵＳＣＨ，Ｃ（ｉ）は、ＰＵＳＣＨ（Physical Uplink Shared Channel：上りリンク共有チャネル）の送信電力設定値である。ＰＵＳＣＨは、上りリンクのデータを送信するための共有データチャネルである。ＰＵＳＣＨでは、ＰＵＣＣＨは、ＰＤＳＣＨに対するＡＣＫ／ＮＡＣＫや下りリンクの受信品質、スケジューリング割り当て要求信号を送信するために使用される。
【００４２】
また、ｃはserving cell番号、ｉはsubframe番号、ｊはＰＵＳＣＨ種別を表す。ＰＣＭＡＸ,ｃ（ｉ）は、最大送信電力、ＭＰＵＳＣＨ,ｃ（ｉ）は、ＲＢ（Resource Block）数である。ＲＢ数は、割り当て周波数帯域幅に相当する。ＰＯ＿ＮＯＲＭＩＮＡＬ＿ＰＵＳＣＨ,ｃ（ｊ）はセル毎のターゲット電力設定値、ＰＯ＿ＵＥ＿ＰＵＳＣＨ,ｃ（ｊ）はＵＥ（端末）毎のターゲット電力設定値である。αｃ（ｊ）はＤＬパスロス補償係数、ＰＬＣは端末で推定されるＤＬパスロス推定値である。ΔＴＦ，ｃ（ｉ）はＭＣＳ依存のオフセット値、ｆｃ（ｉ）は、Ｃｌｏｓｅｄ  Ｌｏｏｐ  ＴＰＣによるオフセット値である。ＭＰＵＳＣＨ,ｃ（ｉ）、ＰＯ＿ＮＯＲＭＩＮＡＬ＿ＰＵＳＣＨ,ｃ（ｊ）、ＰＯ＿ＵＥ＿ＰＵＳＣＨ,ｃ（ｊ）、αｃ（ｊ）、ΔＴＦ，ｃ（ｉ）は、Ｃ−ＢＢＵ１００からあらか
じめ通知される。ｆｃ（ｉ）は、Ｃ−ＢＢＵ１００からのＴＰＣコマンドによって調整される。
【００４３】
【数３】
2015073209.tif 000005
【００４４】
【数４】
2015073209.tif 000006
【００４５】
ＰＰＵＣＣＨ（ｉ）は、ＰＵＣＣＨ（Physical Uplink Control Channel：上りリンク
制御チャネル）の送信電力設定値である。
【００４６】
また、ｇ（ｉ）は、Ｃｌｏｓｅｄ  Ｌｏｏｐ  ＴＰＣによるオフセット値、h(nCQI,nHARQ,nSR)はＰＵＣＣＨの情報ＢＩＴ数によるオフセット値である。ΔＦ＿ＰＵＣＣＨ（Ｆ
）は、ＰＵＣＣＨ  ｆｏｒｍａｔによるオフセット値、ΔＴｘＤ（Ｆ’）は端末送信アンテナ設定によるオフセット値である。Ｆ及びＦ’は、ＰＵＣＣＨ  ｆｏｒｍａｔへのｉｎｄｅｘ値である。
【００４７】
また、端末４００は、第１ＲＲＨ２００からＰＯ＿ＵＥ＿ＰＵＳＣＨ，ｃ及びＰＯ＿ＵＥ＿ＰＵＣＣＨを受信する。ＰＯ＿ＵＥ＿ＰＵＳＣＨ，ｃ及びＰＯ＿ＵＥ＿ＰＵＣＣＨは、上り送信電力の補正値に相当する。端末４００は、ＰＯ＿ＵＥ＿ＰＵＳＣＨ，ｃ及びＰＯ＿ＵＥ＿ＰＵＣＣＨに基づいて、上り送信電力を算出し、上り送信電力を算出した値に変更する。
【００４８】
図９は、端末のハードウェア構成例を示す図である。図９の端末４００は、プロセッサ４１０、記憶部４２０、ベースバンド処理回路４３０、無線処理回路４４０、アンテナ４
５０、バス４６０を有する。プロセッサ４１０は、送信電力を算出する。記憶部４５０は、送信電力算出の際に使用されるデータ等を格納する。記憶部４５０は、例えば、ＲＡＭ、ＲＯＭ、ＨＤＤ等である。アンテナ４５０は、無線処理回路４４０に接続される。プロセッサ４１０、記憶部４２０、ベースバンド処理回路４３０は、バス４６０を介して、互いに接続される。
【００４９】
Ｃ−ＢＢＵ１００、第１ＲＲＨ２００、第２ＲＲＨ３００、端末４００のハードウェア構成は、図８、図９に示される例に限らず、適宜構成要素の省略、置換、追加が行われてもよい。
【００５０】
Ｃ−ＢＢＵ１００、第１ＲＲＨ２００、第２ＲＲＨ３００、端末４００の各ユニットは、ハードウェアの構成要素、ソフトウェアの構成要素、又は、これらの組み合わせとして、それぞれ実現され得る。
【００５１】
ハードウェアの構成要素は、ハードウェア回路であり、例えば、ＦＰＧＡ（Field Programmable Gate Array）、特定用途向け集積回路（ＡＳＩＣ）、ゲートアレイ、論理ゲー
トの組み合わせ、アナログ回路等がある。
【００５２】
ソフトウェアの構成要素は、ソフトウェアとして所定の処理を実現する部品である。ソフトウェアの構成要素は、ソフトウェアを実現する言語、開発環境等を限定する概念ではない。
【００５３】
一連の処理は、ハードウェアにより実行させることができるが、ソフトウェアにより実行させることもできる。
【００５４】
（動作例）
本実施形態の移動体通信システムにおける動作について説明する。
【００５５】
図１０は、本実施形態の移動体通信システムにおける動作シーケンスの例を示す図である。ここでは、端末４００は、第１ＲＲＨ２００のセル及び第２ＲＲＨ３００のセルに存在しているとする。また、ここでは、端末４００は、第２ＲＲＨ３００の近傍に存在していることなどにより、第１ＲＲＨ２００と通信するための送信電力より、第２ＲＲＨ３００と通信するための送信電力の方が小さいとする。
【００５６】
Ｃ−ＢＢＵ１００は、第１ＲＲＨ２００の下りパイロット信号の送信電力を設定する。Ｃ−ＢＢＵ１００は、第１ＲＲＨ２００が送信する下りパイロット信号を生成し、第１ＲＲＨ２００に送信する（ＳＱ１００１）。また、Ｃ−ＢＢＵ１００は、設定した下りパイロット信号の送信電力を第１ＲＲＨ２００に通知する。
【００５７】
第１ＲＲＨ２００は、Ｃ−ＢＢＵ１００から下りパイロット信号、及び、送信電力を受信すると、通知された送信電力で、下りパイロット信号を端末４００に向けて送信する（ＳＱ１００２）。
【００５８】
また、Ｃ−ＢＢＵ１００は、第２ＲＲＨ３００の下りパイロット信号の送信電力を設定する。Ｃ−ＢＢＵ１００は、第２ＲＲＨ３００が送信する下りパイロット信号を生成し、第２ＲＲＨ３００に送信する（ＳＱ１００３）。また、Ｃ−ＢＢＵ１００は、設定した下りパイロット信号の送信電力を第２ＲＲＨ２００に通知する。
【００５９】
第２ＲＲＨ３００は、Ｃ−ＢＢＵ１００から下りパイロット信号、及び、送信電力を受信すると、通知された送信電力で、下りパイロット信号を端末４００に向けて送信する（
ＳＱ１００４）。
【００６０】
端末４００は、受信した下りパイロット信号のそれぞれの受信電力を測定する（ＳＱ１００５）。
【００６１】
端末４００は、測定した下りパイロット信号の受信電力を、第１ＲＲＨ２００に通知する（ＳＱ１００６）。
【００６２】
第１ＲＲＨ２００は、端末４００から下りパイロット信号の受信電力を受信すると、受信した下りパイロット信号の受信電力をＣ−ＢＢＵ１００に送信する（ＳＱ１００７）。Ｃ−ＢＢＵ１００は、第１ＲＲＨ２００から下りパイロット信号の受信電力を受信する。
【００６３】
Ｃ−ＢＢＵ１００は、受信した下りパイロット信号の受信電力、及び、下りパイロット信号の送信電力に基づいて、パスロスを推定する。Ｃ−ＢＢＵ１００は、第１ＲＲＨ２００と端末４００との間、第２ＲＲＨ３００と端末４００との間の、パスロスを推定し、保持する。
【００６４】
Ｃ−ＢＢＵ１００は、所定の条件等により、第２ＲＲＨ３００の下り送信を停止することを決定し、第２ＲＲＨ３００に対し、下り送信停止を指示する（ＳＱ１００９）。
【００６５】
第２ＲＲＨ３００は、Ｃ−ＢＢＵ１００から下り送信停止を指示されると、下り送信を停止する（ＳＱ１０１０）。即ち、第２ＲＲＨ３００は、アンテナ３２０からの電波（信号）の送信を停止する。第２ＲＲＨ３００の送信が停止しても、第２ＲＲＨ３００は、アンテナ３２０において、信号の受信を継続する。
【００６６】
また、Ｃ−ＢＢＵ１００は、第２ＲＲＨ３００に対し下り送信停止を指示すると、端末４００に通知する上り送信電力補正値（ＰＯ＿ＵＥ＿ＰＵＳＣＨ，ｃ及びＰＯ＿ＵＥ＿ＰＵＣＣＨ）を算出する（ＳＱ１０１１）。ここでは、端末４００が第２ＲＲＨ３００をターゲットとする送信電力となるように、Ｃ−ＢＢＵ１００は、上り送信電力の補正値を算出する。上り送信電力の補正値は、推定されたパスロスを使用して、次のように算出される。
【００６７】
【数５】
2015073209.tif 000007
【００６８】
【数６】
2015073209.tif 000008
【００６９】
ここで、ＰＯ＿ＵＥ＿ＰＵＳＣＨ＿ｂｅｆｏｒｅ，ｃ及びＰＯ＿ＵＥ＿ＰＵＣＣＨ＿ｂｅｆｏｒｅは、それぞれ、補正前のＰＯ＿ＵＥ＿ＰＵＳＣＨ，ｃ及びＰＯ＿ＵＥ＿ＰＵＣＣＨである。また、ＰＬｍ２ｕｅは、第１ＲＲＨ２００と端末４００との間のＤＬパスロス推定値である。ＰＬｐ２ｕｅは、第２ＲＲＨ３００と端末４００との間のＤＬパスロス推定値である。ここでは、ｃ（serving cell）は、第１ＲＲＨ２００である。
【００７０】
ここで算出されたＰＯ＿ＵＥ＿ＰＵＳＣＨ＿ａｆｔｅｒ，ｃ及びＰＯ＿ＵＥ＿ＰＵＣＣＨ＿ａｆｔｅｒは、それぞれ、上り電力補正値（ＰＯ＿ＵＥ＿ＰＵＳＣＨ，ｃ及びＰＯ＿
ＵＥ＿ＰＵＣＣＨ）として、第１ＲＲＨ２００に送信される（ＳＱ１０１２）。上り電力補正値は、例えば、ＲＲＣ（Radio Resource Control：無線リソース制御）メッセージで送信される。
【００７１】
第１ＲＲＨ２００は、Ｃ−ＢＢＵ１００から受信したＰＯ＿ＵＥ＿ＰＵＳＣＨ，ｃ及びＰＯ＿ＵＥ＿ＰＵＣＣＨを端末４００に送信する（ＳＱ１０１３）。端末４００は、第１ＲＲＨ２００からＰＯ＿ＵＥ＿ＰＵＳＣＨ，ｃ及びＰＯ＿ＵＥ＿ＰＵＣＣＨを受信する。
【００７２】
端末４００は、第１ＲＲＨ２００から受信したＰＯ＿ＵＥ＿ＰＵＳＣＨ，ｃ及びＰＯ＿ＵＥ＿ＰＵＣＣＨに基づいて、上り送信電力を算出する（ＳＱ１０１４）。端末４００における上り送信電力（ＰＰＵＳＣＨ，Ｃ（ｉ）、ＰＰＵＣＣＨ（ｉ））は、上記のように算出される。端末４００は、算出したそれぞれの上り送信電力で、データ等を送信する。端末４００の送信電力は、第２ＲＲＨ３００をターゲットとした送信電力である。
【００７３】
図１１は、本実施形態のＣ−ＢＢＵの動作フローの例を示す図である。図１１では、図１０の動作シーケンスにおけるＣ−ＢＢＵ１００の動作フローの例が示される。
【００７４】
ステップＳ１０１では、Ｃ−ＢＢＵ１００の上りターゲット電力制御部１１２は、第１ＲＲＨ２００の下りパイロット信号送信電力設定値をスケジューラ部１２２に通知する。下りパイロット信号送信電力設定値は、例えば、記憶部１５０に格納されている。スケジューラ部１２２は、第１ＲＲＨ２００の下りパイロット信号送信指示を、ベースバンド処理回路１３０の下り送信部１３２に、通知する。下りパイロット信号送信指示には、パイロット信号及びパイロット信号送信電力が含まれる。ベースバンド処理回路１３０の下り送信部１３２は、第１ＲＲＨ２００に対し、下りパイロット信号を送信する。また、上りターゲット電力制御部１１２は、第２ＲＲＨ３００の下りパイロット信号送信電力設定値をスケジューラ部１２２に通知する。スケジューラ部１２２は、第２ＲＲＨ３００の下りパイロット信号送信指示を、ベースバンド処理回路１３０の下り送信部１３２に、通知する。ベースバンド処理回路１３０の下り送信部１３２は、第２ＲＲＨ３００に対し、下りパイロット信号を送信する。
【００７５】
ステップＳ１０２では、ベースバンド処理回路１３０の上り受信部１３４は、端末４００からの下りパイロット信号受信電力を、第１ＲＲＨ２００を介して、受信する。下りパイロット信号受信電力は、第１ＲＲＨ２００から端末４００へのパイロット信号の受信電力と、第２ＲＲＨ３００から端末４００へのパイロット信号の受信電力とを含む。下りパイロット信号受信電力は、上りターゲット電力制御部１１２に通知される。
【００７６】
ステップＳ１０３では、上りターゲット電力制御部１１２は、受信した下りパイロット信号の受信電力、及び、下りパイロット信号の送信電力に基づいて、パスロスを推定する。上りターゲット電力制御部１１２は、第１ＲＲＨ２００と端末４００との間のパスロス（ＰＬｍ２ｕｅ）、及び、第２ＲＲＨ３００と端末４００との間のパスロス（ＰＬｐ２ｕｅ）を推定する。上りターゲット電力制御部１１２は、推定したパスロスを、記憶部１５０に格納する。
【００７７】
ステップＳ１０４では、上りターゲット電力制御部１１２は、第２ＲＲＨ３００に対し、下り送信停止を指示する。下り送信停止指示は、所定の条件に基づいて行われる。下り送信停止指示は、例えば、第２ＲＲＨ３００のセルに存在する端末の数が減少した場合に行われる。
【００７８】
ステップＳ１０５では、上りターゲット電力制御部１１２は、第２ＲＲＨ３００に対し下り送信停止を指示すると、端末４００に通知する上り送信電力補正値を算出する。上り
送信電力補正値の算出には、ステップＳ１０３で推定されたパスロスが使用される。上り送信電力補正値は、ＰＯ＿ＵＥ＿ＰＵＳＣＨ，ｃ及びＰＯ＿ＵＥ＿ＰＵＣＣＨである。
【００７９】
ステップＳ１０６では、上りターゲット電力制御部１１２は、ベースバンド処理回路１３０の下り送信部１３２に、算出した上り送信電力補正値を端末４００に向けて送信することを指示する。下り送信部１３２は、上り送信電力補正値（ＰＯ＿ＵＥ＿ＰＵＳＣＨ，ｃ及びＰＯ＿ＵＥ＿ＰＵＣＣＨ）を、下り送信を停止していない第１ＲＲＨ２００に送信する。第１ＲＲＨ２００は、上り送信電力補正値を、端末４００に向けて送信する。
【００８０】
端末４００は、上り送信電力補正値に基づいて、上り送信電力を算出し、上り送信電力を変更する。
【００８１】
ＳＲＳ（Sounding Reference Signal）の送信電力についても、ＰＵＳＣＨの送信電力
と同様に補正することができる。ＳＲＳは、周波数スケジューリングを適用するために必要な受信品質測定やタイミング調整に使用される。
【００８２】
（実施形態の作用、効果）
Ｃ−ＢＢＵ１００は、第１ＲＲＨ２００及び第２ＲＲＨが下り送信を行っている際に、端末４００から下りパイロット信号受信電力を受信する。また、Ｃ−ＢＢＵ１００は、下りパイロット信号受信電力等に基づいて、第１ＲＲＨ２００と端末４００との間、第２ＲＲＨと端末４００との間のパスロスを推定する。Ｃ−ＢＢＵ１００は、推定したパスロスを記憶部１５０に保持する。Ｃ−ＢＢＵ１００は、第２ＲＲＨ３００が下り送信状態から下り送信停止状態に遷移した場合、保持するパスロスを使用して、端末４００が第２ＲＲＨ３００をターゲットとする送信電力とするように、送信電力補正値を算出する。Ｃ−ＢＢＵ１００は、下り送信状態の第１ＲＲＨ３００を介して、端末４００に、送信電力補正値を送信する。端末４００は、Ｃ−ＢＢＵ１００からの送信電力補正値に基づいて、上り送信電力を算出し、上り送信電力を変更する。Ｃ−ＢＢＵ１００は、第２ＲＲＨ３００の送信停止前に算出されたパスロスを使用することで、第２ＲＲＨ３００の送信停止後に、送信電力補正値を算出できる。端末４００は、第２ＲＲＨ３００の送信停止後に、ＴＰＣコマンドで制御する場合に比べ短い時間で上り送信電力を第２ＲＲＨ３００をターゲットとした値に制御することができる。これにより、端末の送信電力（消費電力）が低減される。また、端末の送信電力が低減されることにより、他の無線装置等への干渉が抑制される。
【符号の説明】
【００８３】
１０        移動体通信システム
１００          Ｃ−ＢＢＵ
１０２            バス
１１０            上位処理用プロセッサ
１１２              上りターゲット電力制御部
１２０            ベースバンド処理用プロセッサ
１２２              スケジューラ部
１３０            ベースバンド処理回路
１３２              下り送信部
１３４              上り受信部
１４０            ＮＷ側Ｉ/Ｆ
１５０            記憶部
２００          第１ＲＲＨ
２１０            無線処理回路
２２０            アンテナ
３００          第２ＲＲＨ
３１０            無線処理回路
３２０            アンテナ
４００          端末
４１０            プロセッサ
４２０            記憶部
４３０            ベースバンド処理回路
４４０            無線処理回路
４５０            アンテナ
【図１】
2015073209.tif 000009
【図２】
2015073209.tif 000010
【図３】
2015073209.tif 000011
【図４】
2015073209.tif 000012
【図５】
2015073209.tif 000013
【図６】
2015073209.tif 000014
【図７】
2015073209.tif 000015
【図８】
2015073209.tif 000016
【図９】
2015073209.tif 000017
【図１０】
2015073209.tif 000018
【図１１】
2015073209.tif 000019